(57)【要約】【課題】  ドアヒンジの組立てを簡素化し、更に電気接続部に損傷を与えるリスクを軽減する。【解決手段】  本発明は、ドアフレームとドアリーフにドアヒンジのヒンジ装置２を固定するための２つの収容体１，１’を有する、ドアフレームとドアリーフの間にコンシールド配置するためのドアヒンジに関する。更に、ドアヒンジは、１つの柔軟な電気接続要素を備える。本発明によれば、電気接続要素は、両端に電気接点要素８，８’を備え、これら電気接点要素は、多心ケーブルによって互いに接続されている。電気接点要素８，８’は、対応の収容体１に固定されている。【選択図】        図１
2015025355.tif 000002
【特許請求の範囲】
【請求項１】
ドアフレームとドアリーフにドアヒンジのヒンジ装置（２）を固定するための２つの収容体（１，１’）と１つの柔軟な電気接続要素（７）とを有する、ドアフレームとドアリーフの間にコンシールド配置するためのドアヒンジにおいて、
電気接続要素（７）が、両端に電気接点要素（８，８’）を備え、これら電気接点要素が、多心ケーブルによって互いに接続されていること、電気接点要素（８，８’）が、それぞれ対応の収容体（１，１’）に固定されていること、を特徴とするドアヒンジ。
【請求項２】
電気接点要素（８，８’）が、対応の収容体（１，１’）の背面の空所内に固定されていること、特徴とする請求項１に記載のドアヒンジ。
【請求項３】
多心ケーブルが、リボンケーブル（９）として形成されていること、を特徴とする請求項１又は２に記載のドアヒンジ。
【請求項４】
少なくとも一方の電気接点要素（８，８’）が、発泡材料及び／又はキャスティングコンパウンドによって対応の収容体（１，１’）に不動に結合されていること、を特徴とする請求項１〜３のいずれか１項に記載のドアヒンジ。
【請求項５】
少なくとも一方の電気接点要素（８，８’）が、保持要素（１０，１０’）によって対応の収容体（１，１’）に噛合い係合式に固定されていること、を特徴とする請求項１〜４のいずれか１項に記載のドアヒンジ。
【請求項６】
保持要素（１０，１０’）が、噛合い係合式に対応の電気接点要素（８，８’）を把持し、係止結合により対応の収容体（１，１’）に固定されていること、を特徴とする請求項５に記載のドアヒンジ。
【請求項７】
保持要素（１０，１０’）が、多部材部品として２つのシェル（１０ａ，１０ｂ）を備え、これらシェルが、対応の電気接点要素（８，８’）を噛合い係合式に把持すること、シェル（１０ａ，１０ｂ）が、係止結合により、対応の収容体（１，１’）の空所内に固定され、空所の境界部が、シェル（１０ａ，１０ｂ）を噛合い係合式に電気接点要素（８，８’）に保持すること、を特徴とする請求項５又は６に記載のドアヒンジ。
【発明の詳細な説明】
【技術分野】
【０００１】
本発明は、ドアフレームとドアリーフの間にコンシールド配置するためのドアヒンジに関する。ドアヒンジは、ドアフレームとドアリーフにドアヒンジのヒンジ装置を固定するための２つの収容体を備える。更に、ドアヒンジには、柔軟な電気接続要素が配置されている。
【背景技術】
【０００２】
このようなドアヒンジは、ドアを不可視にドアフレームに固定するだけでなく、ドアフレームに配置された電気消費部及びセンサを、可視のケーブル接続をすることなく接続するとの市場の要求に応じる。可能な適用分野は、例えば電気ドアクローザ、アラーム装置、アクセスコントロールシステム、照明装置及び火災報知装置である。
【０００３】
冒頭で説明した特徴を有するドアヒンジは、独国特許出願公開第１０  ２００７  ０４１  ８１６号明細書（特許文献１）から公知である。この公知のドアヒンジの場合、ヒンジ装置のヒンジブラケットの間にリボンケーブルが案内され、このリボンケーブルは、背面の空所を経て収容体から出ている。
【０００４】
米国特許２０１１／００２６２０４号明細書（特許文献２）から公知のドアヒンジの場合、柔軟な電気接続要素が設けられ、この電気接続要素は、両端に電気接点要素を備える。電気接点要素は、ケーブルによって互いに接続されている。
【０００５】
公知の構成は、組立て技術的に費用が掛かる。更に、ヒンジ装置を経て案内されるケーブルは、ドアヒンジの操作中の制御不能な固有運動によって損傷を受けることがある。これは、接続された機器の機能性にとって重大な危険である。
【先行技術文献】
【特許文献】
【０００６】
【特許文献１】独国特許出願公開第１０  ２００７  ０４１  ８１６号明細書
【特許文献２】米国特許２０１１／００２６２０４号明細書
【発明の概要】
【発明が解決しようとする課題】
【０００７】
この背景から、本発明の根底にある課題は、この種のドアヒンジの組立てを簡素化し、更に電気接続部に損傷を与えるリスクを軽減することにある。
【課題を解決するための手段】
【０００８】
本発明の対象及びこの課題の解決策は、請求項１に記載のドアヒンジである。
【０００９】
本発明によれば、柔軟な電気接続要素が、両端に電気接点要素を備える。これら電気接点要素は、多心ケーブルによって互いに接続され、それぞれ対応の収容体に固定されている。電気接点要素は、特に商習慣上のプラグ及びソケットとして形成することができる。本発明による形態により、複数の利点が得られる：一方で、電気接続要素は、端部に２つのプラグ接続部を有する規格化したケーブルとして別個に生産するか、購入することができる。ケーブルの個々の心線の接続は、ドアヒンジの組立て時でも、ドアフレーム及びドアリーフへのドアヒンジの取付け時でも省略される。後から使用する際にも、利点が得られるが、それは、ドアリーフ及びドアフレームにおける電気配線が、ドアヒンジに配置された電気接続要素によって特に簡単に、また特に再び取外し可能に電気接続することができるからである。電気接点要素の確実な固定により、多心ケーブルのそれ以外の固定が必要ない。
【００１０】
本発明の好ましい形態では、電気接点要素が、対応の収容体の背面の空所内に固定されている。コンシールドドアヒンジの収容体は、ボックス状のインサートを備え、このインサートの開放した前面は、ドア閉鎖状態で、他方の収容体の同様に開放した前面と向かい合っている。従って、背面は、ドア閉鎖状態でそれぞれ他方の収容体に対して最も遠く間隔を置いたボックス状部分の面として設定されている。電気接続要素の相応の配置により、ヒンジ装置のメカニズムによって少ししか邪魔されないケーブルガイドが可能にされる。更に、ドアリーフの平面内での電気配線の特に有利な継続が可能である。
【００１１】
合目的に、多心ケーブルは、リボンケーブルとして形成されている。リボンケーブルは、一方向に特に曲げやすく形成されているが、この方向に対して垂直な方向には高剛性であるとの利点を有する。その点で、これは、設けられるインサートのために有利であり、このインサートとして、リボンケーブルは、ドアヒンジの旋回運動に良好に追従することができるが、垂れ下がりやすくはない。垂れ下がるケーブルは、ヒンジ装置の個々のヒンジブラケットの間に挟まれ、これにより損傷を受けることがある。それでも、丸形ケーブルや他の柔軟なケーブルの使用も、本発明によって包含されるべきである。
【００１２】
一実施バリエーションでは、少なくとも一方の電気接点要素が、発泡材料及び／又はキャスティングコンパウンドによって対応の収容体に不動に結合されている。このため、例えばポリウレタンベースの発泡プラスチック、合成樹脂又は熱可塑性のプラスチックが問題になる。場合によっては、材料のオーバーフローを防止するためのシール手段を設けなければならない。
【００１３】
本発明の他の実施バリエーションでは、少なくとも一方の電気接点要素が、保持要素によって対応の収容体に噛合い係合式に固定されている。この場合、保持要素は、電気接点要素と収容体の間に噛合い係合部を形成する。このような保持要素は、例えば商習慣上のプラグもしくは商習慣上のソケットをドアヒンジの所定の構造部に固定するために利用することができる。また、必要に応じて異なったケーブルもしくはその結果として異なった電気接点要素を、相応に形成された保持要素によってドアヒンジの同じ基体に固定することも可能である。従って、特に顧客の個々の要求に対応することができるが、ドアヒンジの基体を変更する必要はない。また、例えば光ファイバーケーブル、水ライン又は圧縮空気ラインのような他のラインタイプのための適合も考えられる。
【００１４】
本発明の合目的な形態では、保持要素が、噛合い係合式に対応の電気接点要素を把持し、係止結合により対応の収容体に固定されている。保持要素と電気接点要素の間の噛合い係合は、保持要素が少なくとも部分的に電気接点要素の外形に対するネガティブプロフィルを備えることによって形成される。合目的に、保持要素は、係止結合により、電気接点要素が保持要素との噛合い係合からもはや離脱することができないように、対応の収容体に保持される。選択的に、保持要素は、電気接点要素と保持要素の間に、両部品の噛合い係合を保証する別の係止結合部が得られるように、形成することができる。
【００１５】
特に好ましい形態では、保持要素が、多部材部品として２つのシェルを備え、これらシェルが、対応の電気接点要素を噛合い係合式に把持し、係止結合により、対応の収容体の空所内に固定されている。この場合、空所の境界部は、シェルを噛合い係合式に電気接点要素に保持する。この形態により、特に簡単な組立てを実現することができる。組立てのため、電気接点要素は、まず保持要素のシェルの間に挿入される。この場合、シェルは、まず単にゆるく当接させることができ、これが、特に組立ても簡素化する。次いで、保持要素が、係止結合により収容体の対応の空所内に固定される。この場合、係止結合は、別の工具を必要としないので、特に有利なものとなる。しかしながら、例えばネジ結合のような他の固定方法も、本発明によって包含されている。空所の境界部により、保持要素の部分は、電気接点要素との噛合い係合が保証されるように、保持される。従って、収容体と電気接点要素の間に確実な間接的な噛合い係合が形成される。形態に応じて、大きい接触面により特に有効な力伝達を保証することができる。更に、保持要素は、把持された電気接点要素のための、場合によってはケーブルの保持された部分のための保護機能を担うこともできる。
【００１６】
ただ１つの実施例を図示した以下の図面に基づいて、本発明を詳細に説明する。
【図面の簡単な説明】
【００１７】
【図１】本発明によるドアヒンジの水平断面図
【図２】図１の切断平面Ａ−Ａで切断した本発明によるドアヒンジの斜視断面図
【図３】本発明によるドアヒンジ内に配置された電気接続要素と、取り付けられた保持要素と、未だ取り付けられてない保持要素の斜視分解図
【発明を実施するための形態】
【００１８】
図１は、本発明によるドアヒンジのほぼ中心を通る水平断面図を示す。ドアヒンジは、ドアリーフとドアフレームにドアヒンジのヒンジ装置２を固定するための２つの収容体１，１’を備える。ヒンジ装置２が、コンシールドドアヒンジのための公知の形態を備えるので、このヒンジ装置は、以下で短くだけ説明する：収容体１，１’内で、ガイド要素３に、ジョイント式に互いに結合された２つのヒンジブラケット４，４’が回転可能に支承されている。加えて、ヒンジブラケット４，４’は、ガイド要素３のリンクガイド内に旋回可能で可動に案内されている。ガイド要素３は、収容体１，１’に固定されている。他の構造的な形態、特にマルチジョイント装置も可能である。
【００１９】
収容体１，１’は、それぞれ前面５を備え、これら前面は、ドアヒンジが閉鎖された時に、即ちドア閉鎖状態で、向かい合っている。前面５は、開口を備え、この開口を、ヒンジブラケット４，４’が通る。図１には、前面５が相並んで平行に位置する開放位置が図示されている。収容体１，１’には、それぞれ前面５に向かい合う後壁６が配置されている。更に、ドアヒンジは、柔軟な電気接続要素７を有する。
【００２０】
本発明によれば、接続要素７の両端に、例えばプラグの形態の接点要素８，８’が配置され、これら接点要素は、リボンケーブル９によって互いに接続されている。接点要素８，８’は、保持要素１０，１０’によって収容体１，１’に固定されている。
【００２１】
図２の図から、そこに図示された保持要素１０が係止突起１１によって対応の収容体１の後壁６内の空所内に保持されていることがわかる。更なる押込みは、フランジ状の突出部１２よって防止される。図示した組立て状態で、収容体１の後壁６において、電気接続要素７からプラグ８だけが突出する。多心のリボンケーブル９は、ドアヒンジ内で損傷から保護されている。ドアヒンジの開放時、ドアヒンジは、ドアヒンジが当接するヒンジブラケット４によって外に向かって遮蔽される。
【００２２】
図３から、保持要素１０，１０’の構成が明らかになる。両保持要素１０，１０’は、２つのシェル状の要素１０ａ，１０ｂから成り、これら要素は、対応のプラグ８を噛合い係合式に把持する。シェル１０ａ，１０ｂが互いに接している場合、プラグ８の脱落が有効に防止される。噛合い係合式の結合は、プラグ８のボス１３が一方のシェル１０ａの対応の収容部内に導入可能であることによって形成される。この場合、プラグ８に接続部を固定するための固定フック１４は、保持要素１０から下側に突出する。向かい合うシェル１０ｂは、曲げられたエッジ１５によりプラグ８の対応の溝１６に係合する。
【符号の説明】
【００２３】
１，１’          収容体
２                ヒンジ装置
３                ガイド要素
４，４’          ヒンジブラケット
５                前面
６                後壁
７                電気接続要素
８，８’          接点要素もしくはプラグ
９                リボンケーブル
１０，１０’      保持要素
１０ａ，１０ｂ    シェル状の要素もしくはシェル
１１              係止突起
１２              突出部
１３              ボス
【図１】
2015025355.tif 000003
【図２】
2015025355.tif 000004
【図３】
2015025355.tif 000005